【手続補正書】
【提出日】令和2年9月25日(2020.9.25)
【手続補正１】
【補正対象書類名】特許請求の範囲
【補正対象項目名】全文
【補正方法】変更
【補正の内容】
【特許請求の範囲】
【請求項１】
遠位部分と近位部分とを含む可撓性細長部材と、
前記遠位部分に結合されたクラウン要素であって、前記クラウン要素は、環状リングと、第１のポストと、第２のポストとを含み、前記第１のポスト及び前記第２のポストは前記環状リングから延在する、クラウン要素と、
前記第１のポストにおいて前記環状リングに固定され、前記可撓性細長部材に沿って前記クラウン要素から前記可撓性細長部材の前記近位部分へと延在する第１のプルワイヤであって、前記第１のプルワイヤの近位方向への並進移動が前記遠位部分を第１の方向及び第２の方向へと屈折させるようになっている、第１のプルワイヤと、
前記第２のポストにおいて前記環状リングに固定され、前記可撓性細長部材に沿って前記クラウン要素から前記可撓性細長部材の前記近位部分へ延在する第２のプルワイヤであって、前記第２のプルワイヤの並進移動が前記遠位部分を第３の方向及び第４の方向へと屈折させるようになっている、第２のプルワイヤと、を含む、
カテーテルアセンブリ。
【請求項２】
前記可撓性細長部材の前記遠位部分に結合された、撮像コンポーネント、切除コンポーネント、切断コンポーネント、又は細切コンポーネントのうちの少なくとも１つを更に備える、請求項１に記載のカテーテルアセンブリ。
【請求項３】
前記可撓性細長部材は熱可塑性ポリマー材料で構成され、前記クラウン要素は熱硬化性材料で構成される、請求項１に記載のカテーテルアセンブリ。
【請求項４】
前記第１のプルワイヤは、第１のセグメントと第２のセグメントとの間に形成された第１のループを含み、前記第１のループは、前記第１のセグメント又は前記第２のセグメントの近位方向への並進が前記遠位部分を前記第１の方向又は前記第２の方向にそれぞれ屈折するように、前記第１のポストにおいて前記環状リングの周りにループ形成され、前記第２のプルワイヤは、第３のセグメントと第４のセグメントとの間に形成された第２のループを含み、前記第２のループは、前記第３のセグメント又は前記第４のセグメントの近位方向への並進が前記遠位部分を前記第３の方向又は前記第４の方向にそれぞれ屈折するように、前記第２のポストにおいて前記環状リングの周りにループ形成される、請求項１に記載のカテーテルアセンブリ。
【請求項５】
前記第１の方向及び前記第３の方向は、第１の平面に沿い、前記第２の方向及び前記第４の方向は、前記第１の平面とは異なる第２の平面に沿う、請求項４に記載のカテーテルアセンブリ。
【請求項６】
前記第１のループはヒバリ結びであり、前記ヒバリ結びの頭部は、前記クラウン要素の内壁に隣接して配置される、請求項４に記載のカテーテルアセンブリ。
【請求項７】
前記可撓性細長部材は、前記可撓性細長部材に沿って延在する複数のプルワイヤルーメンを含み、前記第１のセグメント、前記第２のセグメント、前記第３のセグメント、及び前記第４のセグメントの各々は、前記複数のプルワイヤルーメンのうちの１つを通って延在する、請求項４に記載のカテーテルアセンブリ。
【請求項８】
前記クラウン要素に結合されたスリーブ要素を更に含み、前記スリーブ要素は第１のスロットと第２のスロットとを含み、前記クラウン要素の前記第１のポストは前記第１のスロットに嵌入され、前記クラウン要素の前記第２のポストは前記第２のスロットに嵌入される、請求項１に記載のカテーテルアセンブリ。
【請求項９】
前記スリーブ要素に結合された先端部材を更に含み、前記先端部材は撮像コンポーネントを納める、請求項８に記載のカテーテルアセンブリ。
【請求項１０】
前記スリーブ要素は第１の材料で構成され、前記第１の材料は、前記先端部材の第２の材料及び前記可撓性細長部材の第３の材料と熱接合可能である、請求項９に記載のカテーテルアセンブリ。
【請求項１１】
前記先端部材は、前記撮像コンポーネントに対して配置される第１のキー面を含み、前記スリーブ要素は、前記第１のスロット及び前記第２のスロットに対して配置される第２のキー面であって、前記第１のキー面と相互に係合する第２のキー面を含む、請求項９に記載のカテーテルアセンブリ。
【請求項１２】
遠位部分と近位部分とを含む可撓性細長部材を提供するステップと、
クラウン要素を前記遠位部分に結合するステップであって、前記クラウン要素は、環状リングと、第１のポストと、第２のポストとを含み、前記第１のポスト及び前記第２のポストは前記環状リングから延在する、ステップと、
第１のプルワイヤを前記第１のポストにおいて前記環状リングに固定するステップと、
前記第１のプルワイヤの近位方向への並進移動が前記遠位部分を第１の方向及び第２の方向へと屈折させるように、前記可撓性細長部材に沿って前記クラウン要素から前記可撓性細長部材の前記近位部分へと前記第１のプルワイヤを延在させるステップと、
第２のプルワイヤを前記第２のポストにおいて前記環状リングに固定するステップと、
前記第２のプルワイヤの近位方向への並進移動が前記遠位部分を第３の方向及び第４の方向へと屈折させるように、前記可撓性細長部材に沿って前記クラウン要素から前記可撓性細長部材の前記近位部分へと前記第２のプルワイヤを延在させるステップと、を有する、
腔内デバイスを製造する方法。
【請求項１３】
撮像コンポーネント、切除コンポーネント、切断コンポーネント、又は細切コンポーネントのうちの少なくとも１つを前記可撓性細長部材の前記遠位部分に結合するステップを更に有する、請求項１２に記載の方法。
【請求項１４】
前記可撓性細長部材は熱可塑性ポリマー材料で構成され、前記クラウン要素は熱硬化性材料で構成される、請求項１２に記載の方法。
【請求項１５】
前記第１のプルワイヤを固定するステップは、第１のセグメント及び第２のセグメントを形成するように前記第１のポストにおいて前記環状リングの周りに第１のループを形成するステップを有し、前記第２のプルワイヤを固定するステップは、第３のセグメント及び第４のセグメントを形成するように前記第２のポストにおいて前記環状リングの周りに第２のループを形成するステップを有する、請求項１２に記載の方法。
【請求項１６】
前記第１のループはヒバリ結びであり、前記第１のループを形成するステップは、前記ヒバリ結びの頭部を前記クラウン要素の内壁に隣接して配置するステップを有する、請求項１５に記載の方法。
【請求項１７】
前記可撓性細長部材は、前記可撓性細長部材に沿って延在する複数のプルワイヤルーメンを含み、前記方法は、前記第１のセグメント、前記第２のセグメント、前記第３のセグメント、及び前記第４のセグメントの各々を、前記複数のプルワイヤルーメンのうちの１つを通って延在させるステップを更に有する、請求項１５に記載の方法。
【請求項１８】
前記クラウン要素の前記第１のポストをスリーブ要素の第１のスロット内に配置し、
前記クラウン要素の前記第２のポストを前記スリーブ要素の第２のスロット内に配置することによって、
前記スリーブ要素を前記クラウン要素に結合するステップを更に有する、請求項１２に記載の方法。
【請求項１９】
撮像コンポーネントを納める先端部材を前記スリーブ要素に結合するステップを更に有する、請求項１８に記載の方法。
【請求項２０】
前記スリーブ要素は第１の材料で構成され、前記第１の材料は、前記先端部材の第２の材料及び前記可撓性細長部材の第３の材料と熱接合可能である、請求項１９に記載の方法。
【請求項２１】
前記先端部材は、前記撮像コンポーネントに対して配置される第１のキー面を含み、前記スリーブ要素は、第１のスロット及び第２のスロットに対して配置される第２のキー面を含み、前記先端部材を前記スリーブ要素に結合するステップは、前記先端部材の前記第１のキー面を前記スリーブ要素の前記第２のキー面と相互に係合させるステップを有する、請求項１９に記載の方法。
【請求項２２】
通信ケーブルを前記撮像コンポーネントにする結合するステップと、
前記通信ケーブルを前記スリーブ要素及び前記クラウン要素の前記環状リングを通って前記可撓性細長部材に沿って延在させるステップと、を更に有する、
請求項１９に記載の方法。